(57)【要約】【課題】タンク周方向の緊張材の量を低減でき、施工も容易な地上タンク等を提供する。【解決手段】LNGタンクは底版５と防液堤２を含むタンク躯体を有し、防液堤２の底部と底版５の間の隙間が充填材で充填され、防液堤２にタンク周方向の緊張力が導入される。防液堤２の底部には、防液堤２から側方に張出した張出部２ａ、２ｃがタンク周方向に延設され、張出部２ａ、２ｃが、スリット２０、２５によってタンク周方向に分割される。底版５の外周部には、上面の位置が段状に下がった段部が形成され、防液堤２の底部はこの段部に配置される。【選択図】図２
2019105050.tif 000002
【特許請求の範囲】
【請求項１】
底版と側壁を含むタンク躯体を有し、
前記側壁の底部は前記底版から隙間を空けて形成され、前記隙間が埋められており、
前記側壁にタンク周方向の緊張力が導入され、
前記側壁の底部に、前記側壁から側方に張出した張出部がタンク周方向に延設され、
前記張出部が、スリットによってタンク周方向に分割されたことを特徴とする地上タンク。
【請求項２】
前記底版の外周部に、上面の位置が段状に下がった段部が形成され、
前記側壁の底部は、前記段部に配置されることを特徴とする請求項１記載の地上タンク。
【請求項３】
前記張出部は、前記側壁の内側と外側に張出し、
前記内側と外側に張出した張出部の両方が、スリットによってタンク周方向に分割されたことを特徴とする請求項１または請求項２記載の地上タンク。
【請求項４】
前記張出部は、前記側壁の外側に張出し、
前記外側に張出した張出部は、前記側壁のハンチ部を含むことを特徴とする請求項１から請求項３のいずれかに記載の地上タンク。
【請求項５】
前記張出部は、前記側壁の外側に張出し、
前記外側に張出した張出部の前記スリットにスリット材が配置されたことを特徴とする請求項１から請求項４のいずれかに記載の地上タンク。
【請求項６】
底版と側壁を含むタンク躯体を有する地上タンクの構築方法であって、
前記底版の上に側壁を形成する工程と、
前記側壁にタンク周方向の緊張力を導入する工程と、
を有し、
前記側壁の底部は前記底版から隙間を空けて形成され、
前記隙間は前記側壁にタンク周方向の緊張力を導入した後に埋められ、
前記側壁の底部に、前記側壁から側方に張出した張出部がタンク周方向に延設され、前記張出部が、スリットによってタンク周方向に分割されたことを特徴とする地上タンクの構築方法。
【発明の詳細な説明】
【技術分野】
【０００１】
本発明は、地上タンクおよびその構築方法に関する。
【背景技術】
【０００２】
LNG（液化天然ガス）、LPG（液化石油ガス）などの低温の液体を貯留する設備として、地上タンクが用いられることがある。
【０００３】
図１１は、地上タンクとしてLNGを貯留するLNGタンク１００の例を示したものである。LNGタンク１００は、地盤７中の杭４で支持された底版５上に防液堤６を固定してタンク躯体とし、その内側に鋼板等による内槽３ａと外槽鋼板３ｂを設けたものである。LNGは内槽３ａにて貯留し、内槽３ａと外槽鋼板３ｂの間に断熱材８を配置して保冷を行う。外槽鋼板３ｂは防液堤６と一体的に形成される。底版５内には補強鉄筋やヒータ管（不図示）なども設けられる。
【０００４】
防液堤６は、内槽３ａが破損した場合にLNGの外部への液漏れを防ぐために設けられるコンクリート製の側壁であり、通常円筒状である。防液堤６はLNGの液圧に耐え得る構造とする必要があり、そのため底版５に剛結合され、また図示しないタンク周方向（以下、単に周方向ということがある）の緊張材や縦方向の緊張材による緊張力（プレストレス）を導入してコンクリートに所定の圧縮応力を生じさせる。
【０００５】
底版５上に剛結した防液堤６で周方向の緊張材の緊張を行うと、防液堤６をタンク内側に曲げようとする鉛直面内の曲げモーメント（防液堤外側引張の曲げモーメント）が防液堤６の底部に生じることから、防液堤６ではこれを打ち消すために必要な量の縦方向の緊張材も配置する必要がある。
【０００６】
一方、地上タンクの構築方法の一つとして、防液堤の底部がフリーの状態で周方向の緊張材を緊張した後、防液堤と底版を剛結合する方法が有る。防液堤と底版を剛結合した後に周方向の緊張材を緊張すると防液堤への周方向の緊張力の導入が底版により阻害され、また前記した鉛直面内の曲げモーメントが発生するが、上記の方法ではそのようなことが無いので周方向の緊張材の量を低減でき、前記した縦方向の緊張材の量も低減できる。
【０００７】
例えば特許文献１では、底版を外周部と中央部に分けて構築し、その間に隙間を空けておく。底版の外周部は基礎杭に載っているだけの状態とし、その外周部と一体に防液堤を構築し、防液堤がほぼ完成した状態で周方向の緊張材を緊張する。その後、底版の外周部と中央部の隙間に間詰めコンクリートを充填し、底版の径方向の緊張材を緊張して底版の外周部を中央部側に引きつけ、底版の外周部と基礎杭を一体化する。
【先行技術文献】
【特許文献】
【０００８】
【特許文献１】特開2014-167244号公報
【発明の概要】
【発明が解決しようとする課題】
【０００９】
特許文献１の方法では、防液堤と一体化された底版の外周部が厚い円環状となっていることから剛性が大きい。そのため、周方向の緊張力の導入に必要な緊張材の量が増加し、周方向の緊張材を防液堤だけでなく底版の外周部にも配置することが必要となる。
【００１０】
また、特許文献１の方法では、基礎杭上にフリーの状態で載せられた底版の外周部に防液堤が構築された不安定な状態が長く続くことになり、最終的に底版の外周部を基礎杭に固定する作業もかなり難しい。さらに、底版の外周部を中央部に一体化するためのタンク径方向の緊張材も必要となり、底版の外周部と中央部の間で鉄筋やヒータ管を接続する必要も生じる。
【００１１】
本発明は上記の問題に鑑みてなされたものであり、タンク周方向の緊張材の量を低減でき、施工も容易な地上タンク等を提供することを目的とする。
【課題を解決するための手段】
【００１２】
前述した課題を解決するための第１の発明は、底版と側壁を含むタンク躯体を有し、前記側壁の底部は前記底版から隙間を空けて形成され、前記隙間が埋められており、前記側壁にタンク周方向の緊張力が導入され、前記側壁の底部に、前記側壁から側方に張出した張出部がタンク周方向に延設され、前記張出部が、スリットによってタンク周方向に分割されたことを特徴とする地上タンクである。
【００１３】
本発明では、上記の張出部を底部に有する側壁を底版上に配置する形となるので側壁の構築が安定し、底版も杭上に最初から固定しておけばよい。さらに本発明では底版を内外に分割するわけではないので前記したタンク径方向の緊張材が不要であり、鉄筋やヒータ管などの接続作業も不要である。また、張出部に上記のスリットを設けることで側壁の底部の剛性は小さくなり、タンク周方向の緊張材の緊張力は側壁の張出部を除く部分で受けることになる。また本発明ではタンク周方向の緊張力が底版に作用することもない。結果、タンク周方向の緊張材の量を減らすことができ、前記した底版の外周部内に配置されるような周方向の緊張材も不要である。
【００１４】
前記底版の外周部に、上面の位置が段状に下がった段部が形成され、前記側壁の底部は、前記段部に配置されることが望ましい。
張出部を有する側壁の底部を上記の段部に配置することで、タンク躯体の全体形状を従来形状に収めることができ、構造面や施工面で合理的になる。
【００１５】
前記張出部は、前記側壁の内側と外側に張出し、前記内側と外側に張出した張出部の両方が、スリットによってタンク周方向に分割されることが望ましい。
これにより施工時の側壁の安定性を高めることができ、且つ上記のスリットを設けることで周方向の緊張材の量も抑制できる。
【００１６】
前記張出部は、前記側壁の外側に張出し、前記外側に張出した張出部は、前記側壁のハンチ部を含むことが望ましい。
この場合、ハンチ部により側壁の補強を行うことができ、且つ上記のスリットを設けることで周方向の緊張材の量も抑制できる。
【００１７】
また、前記張出部は、前記側壁の外側に張出し、前記外側に張出した張出部の前記スリットにスリット材が配置されることが望ましい。
本発明では、コンクリート打設時にスリット材によりスリットを好適に形成することができ、またコンクリート打設後にはスリット材によってスリットを確保できる。
【００１８】
第２の発明は、底版と側壁を含むタンク躯体を有する地上タンクの構築方法であって、前記底版の上に側壁を形成する工程と、前記側壁にタンク周方向の緊張力を導入する工程と、を有し、前記側壁の底部は前記底版から隙間を空けて形成され、前記隙間は前記側壁にタンク周方向の緊張力を導入した後に埋められ、前記側壁の底部に、前記側壁から側方に張出した張出部がタンク周方向に延設され、前記張出部が、スリットによってタンク周方向に分割されたことを特徴とする地上タンクの構築方法である。
【発明の効果】
【００１９】
本発明により、タンク周方向の緊張材の量を低減でき、施工も容易な地上タンク等を提供することができる。
【図面の簡単な説明】
【００２０】
【図１】LNGタンク１を示す図。
【図２】防液堤２を示す図。
【図３】防液堤２の底部の厚さ方向の断面を示す図。
【図４】シーリング材２４を示す図。
【図５】H形鋼３１とヘッドバー筋３３を示す図。
【図６】LNGタンク１の構築方法を示す図。
【図７】フープ筋３５を示す図。
【図８】アンカーボルト３７ａ、３７ｂを示す図。
【図９】ハンチ部２１ａを示す図。
【図１０】防液堤２’、２”を示す図。
【図１１】LNGタンク１００を示す図。
【発明を実施するための形態】
【００２１】
以下、図面に基づいて本発明の好適な実施形態について詳細に説明する。
【００２２】
（１．LNGタンク１）
図１は本発明の実施形態に係る地上タンクであるLNGタンク１を示す図である。
【００２３】
LNGタンク１は、内部にLNG（低温液体）を貯留する20万KL程度の大きさの地上タンクであり、図１１で説明したLNGタンク１００と同様、地盤７中の杭４で支持された底版５上に防液堤２を固定してタンク躯体とし、その内側に内槽３ａと外槽鋼板３ｂを設けたものである。防液堤２は底版５に剛結合された円筒状の側壁であり、内槽３ａが破損した場合にLNGの外部への液漏れを防ぐため設けられる。防液堤２は所定の引張強度を有するコンクリートによって構築され、タンク躯体の内径は80m程度、高さは40m程度になる。
【００２４】
LNGタンク１はPC（プレストレストコンクリート）タンクであり、防液堤２には後述するようにタンク周方向の緊張材および縦方向の緊張材による緊張力が導入される。
【００２５】
防液堤２の底部には、防液堤２の側方に張出した張出部２ａ、２ｃが設けられる。張出部２ａは防液堤２の外側に張出しており、ハンチ部２１と板状部２２を有する。
【００２６】
ハンチ部２１は、その上方の厚さ一定（例えば0.6m程度）の等厚部２ｂに対して外側に拡幅した直角三角形状の断面部分である。ハンチ部２１の外面は、下方へ行くにつれて外側に向かうように鉛直方向に対して直線状に傾斜し、ハンチ部２１の下端において、ハンチ部２１を含む防液堤２の厚さは1.2m程度となる。ここで、「外」とはタンク外部側をいうものとし、「内」とはタンク内部側をいうものとする。ハンチ部２１を設ける高さ範囲は設計により異なるが、例えば板状部２２からのハンチ部２１の高さを5.0m程度とする。
【００２７】
板状部２２は、ハンチ部２１の下方に形成される。板状部２２の外面は鉛直方向に沿って形成されており、図１の例では当該外面の平面位置がハンチ部２１の下端と略同じであるが、それより外側に突出してもよい。
【００２８】
張出部２ｃは防液堤２の内側に板状に張出した部分であり、張出部２ｃの上面の高さは前記した板状部２２の上端の高さに略等しい。張出部２ｃの底面の高さも板状部２２の底面の高さに略等しく、この張出部２ｃと板状部２２を含む防液堤２の底端部は、防液堤２を支持する支持板部分を構成している。
【００２９】
張出部２ｃおよび板状部２２の高さは0.6m程度であり、張出部２ｃと板状部２２を含む防液堤２の底面のタンク径方向の長さは例えば3.0m程度とする。タンク径方向は図１の左右方向に対応する。
【００３０】
図２（ａ）は防液堤２を外側から見たものである。図２（ａ）に示すように、張出部２ａは防液堤２の外面でタンク周方向に沿って延設される。ただし、張出部２ａにはタンク周方向に所定間隔でスリット２０が設けられ、張出部２ａがスリット２０によってタンク周方向に分割される。スリット２０はハンチ部２１と板状部２２の間で連続するように設けられ、上記の間隔は例えば2.5mとしてハンチ部２１と板状部２２を合わせた高さ以下とする。
【００３１】
図２（ｂ）は防液堤２の内部の一部を示す図である。本実施形態では張出部２ｃにもタンク周方向に所定間隔でスリット２５が設けられており、張出部２ｃがスリット２５によってタンク周方向に分割される。スリット２５のタンク周方向の位置は、上記したスリット２０のタンク周方向の位置に対応している。ただし、スリット２０、２５のタンク周方向の位置が異なっていてもよい。
【００３２】
これらのスリット２０、２５は張出部２ａ、２ｃのみで設けられ、防液堤２の本体部分（張出部２ａ、２ｃを除く部分）にはスリットが設けられない。スリット２０、２５は鉛直方向に設けられ、防液堤２の外面または内面と底版５の上面に対して直交する。スリット２０、２５の幅は上記したスリット２０、２５の設置間隔より小さく、例えば20mm程度とする。
【００３３】
図３（ａ）、（ｂ）は防液堤２の底部の厚さ方向の断面を示す図であり、図３（ａ）はスリット２０、２５の無い位置（スリット２０、２５とスリット２０、２５の間）での断面、図３（ｂ）はスリット２０、２５の位置での断面を示す。
【００３４】
図に示すように、底版５の外周部には、上面の位置が段状に下がった段部５１が形成される。防液堤２の底部は底版５とは分離し別体として形成されており、当該底部はこの段部５１に配置される。
【００３５】
段部５１の段差は0.7m程度、タンク径方向の長さは3.1m程度であり、防液堤２の底部と段部５１の間には隙間が形成される。すなわち、防液堤２の底面と段部５１の上面の間、防液堤２の底部の張出部２ｃの内周面と段部５１の壁面の間にはそれぞれ0.1m程度の隙間がある。この隙間にはモルタル等の充填材３０が充填され、これにより隙間が埋められる。また、段部５１の内側部分の底版５の上面と、張出部２ｃの上面とは同じ高さにある。
【００３６】
防液堤２内には、タンク周方向の緊張材である周方向PC鋼材１１と、縦方向の緊張材である縦方向PC鋼材１３が設けられる。
【００３７】
周方向PC鋼材１１は上下に間隔を空けて複数設けられ、防液堤２の底部から頂部までほぼ全高さに渡って配置される。周方向PC鋼材１１は縦方向PC鋼材１３に沿うように配置される。
【００３８】
縦方向PC鋼材１３は周方向PC鋼材１１の内側で鉛直方向に設けられる。縦方向PC鋼材１３は防液堤２の頂部から底版５に至るまで配置され、等厚部２ｂの厚さ方向のほぼ中央に当たる位置に配置される。
【００３９】
これらのPC鋼材の量、配置、緊張力は設計によって決められる。また各PC鋼材は防液堤２や底版５のコンクリートに埋設されたシース（不図示）内に配置されており、緊張を行った後にシースとPC鋼材の間にモルタルが充填される。なお、張出部２ａ、２ｃには補強のためタンク周方向の鉄筋（不図示）も埋設されるが、この鉄筋はスリット２０、２５を貫通しないものとなっている。ただし、内側の張出部２ｃについては、タンク周方向の鉄筋がスリット２５を貫通してもよい。
【００４０】
張出部２ａのスリット２０には板状のスリット材２３が配置され、スリット２０がスリット材２３で埋められる。スリット材２３の材質は特に限定されないが、合板等の木板の他、硬質ゴム板、ポリウレタンフォーム、発泡スチロールなどの弾性体を用いることができる。一方、張出部２ｃのスリット２５は前記の充填材３０で充填される。
【００４１】
スリット２０の位置にスリット材２３を予め配置するとともに、スリット２５の位置にスリット材２３と同様のスリット材を予め配置した状態で防液堤２の底部のコンクリートを打設することで、スリット２０、２５を好適に形成することができる。これらのスリット材は防液堤２の底部のコンクリートの打設時の埋設型枠（不図示）に取付けて配置することも可能である。
【００４２】
スリット２０の位置に配置したスリット材２３についてはそのまま残置しておくことで、コンクリート打設後にスリット材２３によってスリット２０を確保できる。一方、スリット２５の位置に配置したスリット材はコンクリートの打設後に撤去する。
【００４３】
図４は図３（ｂ）の線Ａ−Ａによる断面を示す図である。図４に示すように、スリット２０の外側の開口端ではスリット材２３の外側にシーリング材２４が設けられ、スリット２０（スリット材２３）が外界から保護される。この開口端では、シーリング材２４の設置に際し張出部２ａのコンクリートが面取りされて面取部２８が形成される。
【００４４】
図５（ａ）は、防液堤２の底部と底版５の段部５１の間の隙間を充填材３０とPC鋼材を省略して示す図である。図５（ｂ）は図５（ａ）の矢印ａに示す方向から隙間を見た図であり、図５（ｃ）は図５（ａ）の矢印ｂに示す方向から隙間を見た図である。
【００４５】
本実施形態では、防液堤２の底面と段部５１の上面の間に、タンク径方向（図５（ａ）の左右方向に対応する）のH形鋼３１がタンク周方向（図５（ｃ）の左右方向に対応する）に間隔を空けて複数設けられている。このH形鋼３１は、施工時に防液堤２を移動可能に支持する受材としての機能を有する。
【００４６】
防液堤２の底面と段部５１の上面、張出部２ｃの内周面と段部５１の壁面の間では、防液堤２の底部および底版５の双方からヘッドバー筋３３（鉄筋）が突出している。底版５から突出するヘッドバー筋３３の先端は、防液堤２の底部から突出するヘッドバー筋３３の先端よりも防液堤２側に配置される。これらのヘッドバー筋３３はH形鋼３１と干渉しないように配置される。
【００４７】
LNGタンク１を構築する際は、段部５１を有する底版５を構築した後、図６（ａ）に示すように段部５１の上面にH形鋼３１を配置してその上に防液堤２を一部の高さ（例えば10m以上の高さ）あるいは全高さ形成する。
【００４８】
その後、周方向PC鋼材１１による緊張力を導入することで、防液堤２は矢印Ｂに示すようにH形鋼３１上を若干(1.0〜2.5cm程度)内側に移動する。この後、防液堤２の底部と段部５１の間の隙間に図６（ｂ）に示すように充填材３０を充填する。
【００４９】
本実施形態では充填材３０とこれに埋設されたヘッドバー筋３３により、鉄筋等を接続することなく防液堤２と底版５が剛結合され、最後に縦方向PC鋼材１３による緊張力が防液堤２に導入される。以下、内槽３ａや外槽鋼板３ｂ等の取付工事を行うことでLNGタンク１が構築される。
【００５０】
以上に説明した本実施形態では、前記の張出部２ａ、２ｃを底部に有する防液堤２を底版５上に配置する形となるので防液堤２の構築が安定し、底版５も杭４上に最初から固定しておけばよい。さらに本実施形態では底版５を内外に分割するわけではないので前記したタンク径方向の緊張材が不要であり、鉄筋やヒータ管などの接続作業も不要である。
【００５１】
張出部２ａ、２ｃには前記のスリット２０、２５を設けることで剛性が小さくなり、タンク周方向の緊張力は防液堤２の張出部２ａ、２ｃを除く部分で受けることになる。また本実施形態ではタンク周方向の緊張力が底版５に作用することもない。結果、周方向PC鋼材１１の量を減らすことができ、前記した底版の外周部内に配置されるような周方向の緊張材も不要である。
【００５２】
また、本実施形態では張出部２ａ、２ｃを有する防液堤２の底部を底版５の段部５１に配置することで、タンク躯体の全体形状を従来形状に収めることができ、構造面や施工面で合理的になる。防液堤２の底部と段部５１の間には、周方向PC鋼材１１の緊張時に防液堤２を移動可能とするための隙間が設けられるが、この隙間には充填材３０を充填し、防液堤２と底版５の一体性を高めることができる。
【００５３】
また、本実施形態では張出部２ａ、２ｃが防液堤２の内外に張出すので施工時の防液堤２の安定性を高めることができ、且つ張出部２ａ、２ｃの両方がスリット２０、２５によってタンク周方向に分割されるので周方向PC鋼材１１の量も抑制できる。
【００５４】
また本実施形態では張出部２ａにハンチ部２１を設けて防液堤２の補強を行うことができ、前記のスリット２０はハンチ部２１と板状部２２に連続して設けられるので周方向PC鋼材１１の量も抑制できる。
【００５５】
また上記のスリット２０にはスリット材２３が配置されており、コンクリート打設時にスリット材２３によりスリット２０を好適に形成することができ、コンクリート打設後にはスリット材２３によってスリット２０を確保できる。
【００５６】
しかしながら、本発明はこれに限らない。例えばスリットは張出部２ａ、２ｃのいずれかのみに設けてもよい。
【００５７】
また前記のヘッドバー筋３３の代わりに図７に示すようにフープ筋３５を設けることも可能である。この場合も、底版５から突出するフープ筋３５の先端は、防液堤２の底部から突出するフープ筋３５の先端よりも防液堤２側に配置される。
【００５８】
また図８に示すように、張出部２ａ、２ｃと底版５をアンカーボルト３７ａ、３７ｂにより一体化してもよい。この例ではアンカーボルト３７ａが張出部２ａに設けられ、アンカーボルト３７ｂが張出部２ｃに設けられる。アンカーボルト３７ａ、３７ｂの代わりにPC鋼材を用いてもよい。
【００５９】
アンカーボルト３７ａ、３７ｂの下端は底版５内に埋設され、アンカーボルト３７ａの上端は張出部２ａを箱抜きして形成された凹部であるボルトボックス２６ａにおいて定着される。同様に、アンカーボルト３７ｂの上端は張出部２ｃの上面を箱抜きして形成された凹部であるボルトボックス２６ｂにおいて定着される。これらのボルトボックス２６ａ、２６ｂはアンカーボルト３７ａ、３７ｂを設けた後モルタル等の充填材２７で充填される。
【００６０】
また、ハンチ部２１と板状部２２の間にシート等の縁切材を設けることでハンチ部２１と板状部２２の縁を切り、剛性をさらに低下させて周方向PC鋼材１１の量を減らすことも可能である。
【００６１】
また、本実施形態のハンチ部２１は直角三角形状であるが、その形状は特に限定されず、図９の張出部２ａ’に示すようにハンチ部２１ａを矩形状としてもよい。また本実施形態ではハンチ部に縦方向PC鋼材は不要であるが、ハンチ部に鉛直方向あるいは鉛直方向に対して傾斜した方向の縦方向PC鋼材を配置することも可能である。また場合によってはハンチ部を防液堤２の内側の張出部２ｃの上に設けることも可能である。
【００６２】
さらに、図１０（ａ）の防液堤２’に示すように張出部２ａを省略することも可能であり、あるいは図１０（ｂ）の防液堤２”に示すように張出部２ｃを省略してもよい。
【００６３】
加えて、本発明はLNGタンク１に限らず、タンク周方向に緊張力の導入を行ういわゆるPCタンクであれば適用でき、貯留物もLNGに限らず、LPG等のその他の（極）低温液体でもよいし、水などでもよい。
【００６４】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６５】
１、１００：LNGタンク
２、２'、２”、６：防液堤
２ａ、２ａ'、２ｃ：張出部
２ｂ：等厚部
３ａ：内槽
３ｂ：外槽鋼板
４：杭
５：底版
７：地盤
８：断熱材
１１：周方向PC鋼材
１３：縦方向PC鋼材
２０、２５：スリット
２１、２１ａ：ハンチ部
２２：板状部
２３：スリット材
２４：シーリング材
２６ａ、２６ｂ：ボルトボックス
２８：面取部
２７、３０：充填材
３１：H形鋼
３３：ヘッドバー筋
３５：フープ筋
３７ａ、３７ｂ：アンカーボルト
５１：段部
【図１】
2019105050.tif 000003
【図２】
2019105050.tif 000004
【図３】
2019105050.tif 000005
【図４】
2019105050.tif 000006
【図５】
2019105050.tif 000007
【図６】
2019105050.tif 000008
【図７】
2019105050.tif 000009
【図８】
2019105050.tif 000010
【図９】
2019105050.tif 000011
【図１０】
2019105050.tif 000012
【図１１】
2019105050.tif 000013